(57)【要約】      （修正有）【課題】照明機能及び／又は視野の制御が可能な調光部材を提供する。【解決手段】建材は、第１面１０ａと、前記第１面と反対側の第２面１０ｂとを有する第１透明部材１０と、前記第１透明部材１０の前記第１面１０ａに配置された第１調光部材２０と、を備え、前記第１調光部材２０は、少なくとも第１状態及び第２状態を有し、前記第１状態において第１光束で発光し、前記第２状態において前記第１光束よりも小さい第２光束になるように構成されている。【選択図】図１
2018142530.tif 000002
【特許請求の範囲】
【請求項１】
第１面と、前記第１面と反対側の第２面とを有する第１透明部材と、
前記第１透明部材の前記第１面に配置された第１調光部材と、を備え、
前記第１調光部材は、少なくとも第１状態及び第２状態を有し、前記第１状態において第１光束で発光し、前記第２状態において前記第１光束よりも小さい第２光束になるように構成されている、建材。
【請求項２】
前記第１調光部材は、少なくとも第１領域及び第２領域を有し、かつ、複数の発光素子を含んでおり、
前記第１状態において、前記第１領域にある前記発光素子の光束と前記第２領域にある前記発光素子の光束とが異なる、請求項１に記載の建材。
【請求項３】
前記第１調光部材は、少なくとも第１領域及び第２領域を有し、かつ、複数の発光素子を含んでおり、
前記第１領域にある前記発光素子の配置密度と前記第２領域にある前記発光素子の配置密度とが異なる、請求項１に記載の建材。
【請求項４】
前記第１調光部材は、前記第１透明部材の前記第１面において部分的に配置されている、請求項１に記載の建材。
【請求項５】
前記第１調光部材は、前記第１状態において第１色調から前記第１色調とは異なる第２色調に変化するように構成されている、請求項１に記載の建材。
【請求項６】
前記第１透明部材と所定の間隔をあけて配置された第２透明部材をさらに備える、請求項１に記載の建材。
【請求項７】
前記第１調光部材が、前記第１透明部材と前記第２透明部材との間に配置されている、請求項６に記載の建材。
【請求項８】
前記第１調光部材が配置された前記第１面と対向する前記第２透明部材の面に、反射防止層が配置されている、請求項７に記載の建材。
【請求項９】
前記第１調光部材が配置された前記第１面と対向する前記第２透明部材の面に、拡散層が配置されている、請求項７に記載の建材。
【請求項１０】
前記第１調光部材が配置された前記第１面と対向する前記第２透明部材の面に、光透過調整層が配置されている、請求項７に記載の建材。
【請求項１１】
前記第１透明部材と前記第２透明部材との間に配置された中間膜をさらに備え、
前記第１透明部材と前記第２透明部材とが前記中間膜を介して接着されている、請求項６〜１０のいずれか一項に記載の建材。
【請求項１２】
前記第１透明部材と前記第２透明部材との間の空間を密閉するための封止部材をさらに備える、請求項６〜１０のいずれか一項に記載の建材。
【請求項１３】
前記第１透明部材を案内する第１レール及び前記第２透明部材を案内する第２レールをさらに備える、請求項６〜１０のいずれか一項に記載の建材。
【請求項１４】
第１状態において第３光束で発光し、第２状態において前記第３光束よりも小さい第４光束になるように構成された第２調光部材をさらに備え、
前記第１光束と前記第３光束が異なる、請求項１〜１３のいずれか一項に記載の建材。
【請求項１５】
前記第１調光部材及び前記第２調光部材は、第１照明組み合わせパターン及び第２照明組み合わせパターンを少なくとも有し、
前記第１照明組み合わせパターンと前記第２照明組み合わせパターンとの間において、前記第１調光部材の光束と前記第２調光部材の光束の大小関係が逆になる、請求項１４に記載の建材。
【請求項１６】
前記第１調光部材の表面に配置された反射板をさらに備え、
前記第１状態において前記反射板を透過する光の光束と、前記第１状態において前記反射板で反射した光の光束とが異なる、請求項１〜１３のいずれか一項に記載の建材。
【請求項１７】
前記第１調光部材は、導光板と、前記導光板内に配置された複数の拡散体と、前記導光板の端部に配置された発光素子とを備え、
前記導光板の一方の面から出射する光の光束と、前記導光板の他方の面から出射する光の光束とが異なる、請求項１〜１３のいずれか一項に記載の建材。
【請求項１８】
前記複数の拡散体は、断面視における当該複数の拡散体の重心が前記導光板の一方の面に寄るように配置され、かつ、前記発光素子から離れるほど前記拡散体の大きさが大きくなっている、請求項１７に記載の建材。
【請求項１９】
前記導光板の一方の面における前記導光板内にある前記拡散体の体積と、前記導光板の他方の面における前記導光板内にある前記拡散体の体積とが異なる、請求項１７に記載の建材。
【請求項２０】
前記導光板の一方の面における前記拡散体の配置密度と、前記導光板の他方の面における前前記拡散体の配置密度とが異なる、請求項１７に記載の建材。
【請求項２１】
前記第１調光部材の光の出射方向に配置された拡散基板をさらに備える、請求項１〜２０のいずれか一項に記載の建材。
【請求項２２】
第１状態において第１光束で発光し、第２状態において前記第１光束よりも小さい第２光束になるように構成されている調光部材。
【請求項２３】
前記第１状態において第１色調から前記第１色調とは異なる第２色調に変化するように構成されている、請求項２２に記載の調光部材。
【請求項２４】
第１面と、当該第１面とは反対側の第２面と、を有する調光部材と、
前記調光部材の前記第１面および前記第２面の少なくとも一方に設けられた光透過層と、を備え、
前記調光部材は、少なくとも第１状態及び第２状態を有し、前記第１状態において第１光束で発光し、前記第２状態において前記第１光束よりも小さい第２光束になるように構成される、建材。
【請求項２５】
前記光透過層は、ハードコート層である、請求項２４に記載の建材。
【請求項２６】
前記第２状態は、消光状態である、請求項２４又は２５に記載の建材。
【請求項２７】
前記光透過層は、当該光透過層を構成する材料とは屈折率が異なる材料から構成される粒子を含む、請求項２４〜２６のいずれか一方に記載の建材。
【請求項２８】
第１空間と、前記第１空間と隣り合う第２空間の間にある開口部に配置された第１透明部材であって、前記第１空間側に位置する第１面と、前記第２空間側に位置する第２面とを有する前記第１透明部材を提供する工程と、
前記第１透明部材の前記第１面及び前記第２面の一方に、シート状の第１調光部材を配置する工程と、を有し、
前記第１調光部材は、少なくとも第１状態及び第２状態を有し、前記第１状態において第１光束で発光し、前記第２状態において前記第１光束よりも小さい第２光束になるように構成されている、建材の製造方法。
【請求項２９】
前記第１透明部材の前記第１面及び前記第２面の他方に、シート状の第２調光部材を配置する工程をさらに有し、
前記第２調光部材は、前記第１状態において前記第１光束と異なる第３光束で発光し、前記第２状態において前記第３光束よりも小さい第４光束になるように構成されている、請求項２８記載の建材の製造方法。
【請求項３０】
前記第１調光部材の配置工程において、前記第１調光部材を撓ませながら前記第１透明部材上に配置する、請求項２８又は２９記載の建材の製造方法。
【請求項３１】
前記第１調光部材の配置工程において、前記第１透明部材と前記第１調光部材とを液体を介して接触させた後、前記第１調光部材を押圧することにより前記液体を中央から外側に移動させる、請求項２８〜３０のいずれか一項記載の建材の製造方法。
【請求項３２】
第１空間と、前記第１空間と隣り合う第２空間の間にある開口部に配置され、前記第１空間側に位置する第１透明部材及び前記第２空間側に位置する第２透明部材を含む建材の製造方法であって、
前記第１透明部材を提供する工程と、
前記第２透明部材の一方の面にシート状の第１調光部材を配置する工程と、
前記第１調光部材が配置された前記第２透明部材を、前記開口部に設置する工程と、を有し、
前記第１調光部材は、少なくとも第１状態及び第２状態を有し、前記第１状態において第１光束で発光し、前記第２状態において前記第１光束よりも小さい第２光束になるように構成されている、建材の製造方法。
【請求項３３】
前記第２透明部材の他方の面にシート状の第２調光部材を配置する工程をさらに有し、  前記第２調光部材は、前記第１状態において前記第１光束と異なる第３光束で発光し、前記第２状態において前記第３光束よりも小さい第４光束になるように構成されている、請求項３２記載の建材の製造方法。
【発明の詳細な説明】
【技術分野】
【０００１】
本開示は、調光部材、それを備えた建材、及び、建材の製造方法に関する。
【背景技術】
【０００２】
従来より、室内への光の入射を制御する構造が提案されている。特許文献１には、窓に設けられたライトシェルフが開示されている。特許文献１のライトシェルフは、傾斜可能に構成されており、水平内向き位置（以下、第１位置）で光の取込みを行い、上向き位置（以下、第２位置）で光の遮蔽を行うように構成されている。
【先行技術文献】
【特許文献】
【０００３】
【特許文献１】特開２００６−２２２０１１号公報
【発明の概要】
【発明が解決しようとする課題】
【０００４】
特許文献１のライトシェルフは、傾斜の状態に応じて光の取込みと遮蔽を切換え可能であるが、第１位置での光の取込みは日光を利用しており、ライトシェルフ自体は照明機能を有していない。したがって、このライトシェルフでは、夜間に室内を明るくすることはできない。また、ライトシェルフを第２位置にした場合、窓の上部からの光が遮蔽されるだけであり、窓の近傍に立つ人の視野を制御することができない。特許文献１において窓の近傍に立つ人の視野を遮るためには、ライトシェルフとは別にブラインドを配置する必要がある。以上の通り、特許文献１のライトシェルフでは、傾斜の状態に応じて光の入射を制御できるものの、照明機能や視野の制御機能を窓に提供することができない。
【０００５】
本開示は、照明機能及び／又は視野の制御が可能な調光部材を提供する。
【課題を解決するための手段】
【０００６】
本願は上記課題を解決する手段を複数含んでいるが、その一例をあげるならば、第１面と、前記第１面と反対側の第２面とを有する第１透明部材と、前記第１透明部材の前記第１面に配置された第１調光部材と、を備え、前記第１調光部材は、少なくとも第１状態及び第２状態を有し、前記第１状態において第１光束で発光し、前記第２状態において前記第１光束よりも小さい第２光束になるように構成されている、建材が提供される。
【０００７】
また、他の例によれば、第１状態において第１光束で発光し、第２状態において前記第１光束よりも小さい第２光束になるように構成されている調光部材が提供される。
【０００８】
また、他の例によれば、第１空間と、前記第１空間と隣り合う第２空間の間にある開口部に配置された第１透明部材であって、前記第１空間側に位置する第１面と、前記第２空間側に位置する第２面とを有する前記第１透明部材を提供する工程と、前記第１透明部材の前記第１面及び前記第２面の一方に、シート状の第１調光部材を配置する工程と、を有し、前記第１調光部材は、少なくとも第１状態及び第２状態を有し、前記第１状態において第１光束で発光し、前記第２状態において前記第１光束よりも小さい第２光束になるように構成されている、建材の製造方法が提供される。
【０００９】
また、他の例によれば、第１空間と、前記第１空間と隣り合う第２空間の間にある開口部に配置され、前記第１空間側に位置する第１透明部材及び前記第２空間側に位置する第２透明部材を含む建材の製造方法であって、前記第１透明部材を提供する工程と、前記第２透明部材の一方の面にシート状の第１調光部材を配置する工程と、前記第１調光部材が配置された前記第２透明部材を、前記開口部に設置する工程と、を有し、前記第１調光部材は、少なくとも第１状態及び第２状態を有し、前記第１状態において第１光束で発光し、前記第２状態において前記第１光束よりも小さい第２光束になるように構成されている、建材の製造方法が提供される。
【発明の効果】
【００１０】
本開示によれば、照明機能及び／又は視野の制御が可能な調光部材を提供することができる。本開示に関連する更なる特徴は、本明細書の記述、添付図面から明らかになるものである。また、上記した以外の、課題、構成および効果は、以下の実施形態の説明により明らかにされる。
【図面の簡単な説明】
【００１１】
【図１】本開示の一実施形態に係る調光部材を備える窓部材の概略断面図である。
【図２】本開示の一実施形態に係る調光部材を備える窓部材の概略断面図である。
【図３】本開示の一実施形態に係る調光部材を備える窓部材の概略断面図である。
【図４】本開示の一実施形態に係る調光部材の概略平面図である。
【図５】図４のＡ−Ａ線断面図である。
【図６】本開示の一実施形態に係る調光部材の概略平面図である。
【図７】本開示の一実施形態に係る調光部材の概略平面図である。
【図８】本開示の一実施形態に係る調光部材の概略平面図である。
【図９】本開示の一実施形態に係る調光部材を備える窓部材の概略断面図である。
【図１０】本開示の一実施形態に係る調光部材を備える窓部材の概略断面図である。
【図１１】本開示の一実施形態に係る調光部材を備える窓部材の概略断面図である。
【図１２】本開示の一実施形態に係る調光部材を備える窓部材の概略断面図である。
【図１３】本開示の一実施形態に係る調光部材を備える窓部材の概略断面図である。
【図１４】本開示の一実施形態に係る調光部材を備える窓部材の概略断面図である。
【図１５】本開示の一実施形態に係る調光部材の概略断面図である。
【図１６】本開示の一実施形態に係る調光部材の概略断面図である。
【図１７】本開示の一実施形態に係る調光部材の概略断面図である。
【図１８】本開示の一実施形態に係る調光部材の概略断面図である。
【図１９】本開示の一実施形態に係る調光部材を備える窓部材の概略断面図である。
【図２０】本開示の一実施形態に係る調光部材が適用される建材の一例である。
【図２１】本開示の一実施形態に係る調光部材が適用される建材の一例である。
【図２２】本開示の一実施形態に係る調光部材が適用される建材の一例である。
【図２３】本開示の一実施形態に係る調光部材が適用される建材の一例である。
【図２４】本開示の一実施形態に係る調光部材が適用される建材の一例である。
【図２５】本開示の一実施形態に係る調光部材が適用される自動車の一例である。
【図２６】本開示の一実施形態に係る調光部材とハードコート層とを備える建材の構成例１を示す概略断面図である。
【図２７】本開示の一実施形態に係る調光部材とハードコート層とを備える建材の構成例２を示す概略断面図である。
【図２８】本開示の一実施形態に係る調光部材とハードコート層とを備える建材の構成例３を示す概略断面図である。
【図２９】本開示の一実施形態に係る調光部材とハードコート層とを備える建材の構成例４を示す概略断面図である。
【発明を実施するための形態】
【００１２】
以下、図面を参照して本開示の一実施形態について説明する。なお、本件明細書に添付する図面においては、図示と理解のしやすさの便宜上、適宜縮尺および縦横の寸法比等を、実物のそれらから変更し誇張してある。
【００１３】
また、本明細書において用いる、形状や幾何学的条件並びにそれらの程度を特定する、例えば、「平行」、「直交」、「垂直」、「同一」等の用語や長さや角度の値等については、厳密な意味に縛られることなく、同様の機能を期待し得る程度の範囲を含めて解釈されるべきである。
【００１４】
本明細書等において「〜」を用いて表される数値範囲は、「〜」の前後に記載される数値のそれぞれを下限値及び上限値として含む範囲であることを意味する。
【００１５】
以下では、建物の建材に適用される調光部材を説明する。適用可能な建材としては、透明部材（典型的にはガラス）を備える建材であればよく、例えば、窓、扉、壁（空間を仕切るパーテションなど）、階段、屋根などが挙げられる。本開示の調光部材は、典型的には窓に適用されるため、以下では窓に適用した実施形態を説明する。
【００１６】
図１は、本開示の一実施形態に係る調光部材を備える窓部材の概略断面図である。図１に示すように、第１空間Ａ１と、第１空間Ａ１に隣り合う第２空間Ａ２との間には開口部１がある。開口部１には窓部材１００が設けられている。例えば、第１空間Ａ１は室外であり、第２空間Ａ２は室内である。以下では、第１空間Ａ１側を「外側」と称し、その反対側の第２空間Ａ２側を「内側」と称する。
【００１７】
窓部材１００は、第１透明部材１０と、第１透明部材１０を案内する第１上側レール３１及び第１下側レール３２とを備える。第１透明部材１０は、第１外側面１０ａと、第１外側面１０ａの反対側に位置する第１内側面１０ｂとを有する。図１では、第１透明部材１０の第１外側面１０ａに調光部材２０が配置されている。なお、第１透明部材１０が開口部１に固定された態様であってもよい。
【００１８】
第１透明部材１０は、透明性を有する部材であって、無色透明であってもよいし、有色半透明であってもよい。第１透明部材１０は、例えば、透明ガラスであってよい。その他、第１透明部材１０は、すりガラス、曇りガラス、フロストガラス、型板ガラスのように表面に凹凸を有する部材でもよい。
【００１９】
調光部材２０は、例えば接着剤を介して第１透明部材１０の第１外側面１０ａに接着されてよい。接着剤としては、特に限定されないが、例えば、粘着剤、熱硬化性接着剤や光硬化性接着剤等の接着剤等が挙げられる。例えば、接着剤として、例えばアクリル系接着剤、シリコーン系接着剤、エステル系接着剤、ウレタン系接着剤、フッ素系接着剤、ポリイミド系接着剤、エポキシ系接着剤、ポリウレタンエステル系接着剤、酢酸ビニル系接着剤、合成ゴム系接着剤、天然ゴム系接着剤等が用いられる。なかでも透明性、耐久性、耐熱性に優れ、低コストであることから、アクリル系接着剤が好ましい。
【００２０】
調光部材２０は、少なくとも２つの状態を有する。一例として、調光部材２０は、第１状態と、第１状態とは異なる第２状態を有する。使用者は、調光部材２０の第１状態を第２状態よりも明るいと感じる。つまり、使用者は調光部材２０の明るさを２段階で感じる。例えば、調光部材２０は、第１状態において第１光束で発光し、第２状態において第１光束よりも小さい第２光束となるように構成されている。一例として、調光部材２０は、第１状態において第１光束で発光し、第２状態で消光する。なお、調光部材２０は、第１状態において第１光束で発光し、第２状態で第１光束より小さい第２光束で発光してもよい。本明細書における光束とは、ある面を通過する光の明るさを表す物理量であり、その単位はルーメン（記号：ｌｍ）である。
【００２１】
例えば、光束の測定には、オーシャンフォトニクス（Ocean Photonics）社製  小型配光測定システム  GPM-SR-500を使用することができる。光束は、以下の流れで測定することができる。
＜校正＞
NIST準拠感度補正用ハロゲン光源（HL-3P-CAL）を用いて、波長３５０〜１１００ｎｍの範囲の光源スペクトルを取得し、測定装置の感度補正係数を専用ソフトウェアで算出する。光源と受光ヘッドを接続する。ここで、受光ヘッドの受光面は、直径４ｍｍの円形エリアである。この感度補正係数を用いて校正を行った後、次の＜測定＞を実施する。
＜測定＞
（ａ）光の出射面（調光部材２０の表面）から５ｍの位置に受光ヘッドを配置する。受光ヘッドと出射面が略垂直になるように設定する。測定中、受光ヘッドは固定する。ここで、受光ヘッドの受光面は、直径４ｍｍの円形エリアである。
（ｂ）測定対象のエリアの、平面視の図形中心あたりに受光ヘッドの中心がくるように配置する。
（ｃ）測定対象物を暗室におく（暗室に移動できなければ暗幕等で覆う）等して測定系を遮光する。
（ｄ）光束の測定を実施する。
（ｅ）上記のシステムで「全光束」として出力される値を「光束」の値とする。
【００２２】
なお、調光部材２０の第１状態と第２状態は、輝度によって規定されてもよい。本明細書における輝度とは、調光部材２０を平面光源とみなしたときの明るさの程度を示す指標であり、ある面の輝度は、その面における光度をその面の見かけの面積で割った値で定義される（ｃｄ／ｍ２）。
【００２３】
調光部材２０が発光した場合、窓部材１００としては透明性を維持しつつ、調光部材２０に対面して調光部材２０を見ると、調光部材２０の背面側の情報が視認しにくくなる。このように、本開示の一実施形態に係る調光部材は、光透過率を状態に応じて実質的に変化させることなく、目隠しの機能を発揮することができる。
【００２４】
なお、調光部材２０は、３つ以上の状態を有してもよい。つまり、調光部材２０が、使用者が調光部材２０の明るさを多段階で感じるように構成されていてもよい。例えば、調光部材２０は、第１状態において第１光束で発光し、第２状態において第１光束よりも小さい第２光束で発光し、第３状態のときに消光してもよい。なお、調光部材２０による調光状態が連続的に変化するように構成してもよい。
【００２５】
また、調光部材２０は、各状態において色調が変化してもよい。例えば、つまり、調光部材２０が、使用者が調光部材２０の色調を多段階で感じるように構成されていてもよい。調光部材２０は、第１状態において第１色調から、第１色調とは異なる第２色調に変化してもよい。また、調光部材２０は、第２状態において第３色調から、第３色調とは異なる第４色調に調光部材２０変化してもよい。なお、調光部材２０は、各状態において３つ以上の色調を有してもよい。例えば、調光部材２０は、第１状態において第１色調、第２色調、及び、第３色調のいずれかで発光し、これらの色調間で変化するように構成されてもよい。色調を変化させることで、近傍にいる人への照明の印象を変化させ、調光部材２０が取付けられた第１透明部材１０を様々な演出に利用することができる。また、色調を変化させることで、調光部材２０が目隠しの機能を果たし、室外側から室内の情報を視認しにくくさせる（以下、目隠しの機能）こともできる。
【００２６】
上述の調光部材２０によれば、窓部材１００に対して、照明機能及び／又は視野制御の機能を提供することができる。例えば、第１状態において室外側の照明としての機能を発揮させるには、好ましくは、第１光束が３００（ｌｍ）以上である。上限について特に制限はないが、例えば、１００００（ｌｍ）以下としてもよい。また、第１状態において室外側から室内側を視認しにくくさせる機能（目隠しの機能）を発揮させるためには、好ましくは、第１光束を、照明機能を発揮させる場合よりも大きくする。
【００２７】
上述の調光部材２０によれば、第１状態において、窓部材１００に対して照明機能及び／又は視野制御の機能を提供することができる。一方、調光部材２０が、第２状態において消光する又は第１状態よりも小さい光束で発光する場合には、窓部材１００が本来の窓としての機能（窓を介して情報が視認できる機能）を発揮し、窓部材１００の近傍に立つ人が、室内側又は室外側の情報を窓部材１００を介して認識することができる。
【００２８】
図２は、本開示の一実施形態に係る調光部材を備える窓部材の概略断面図である。図２に示すように、窓部材１００は、第２透明部材１１をさらに備える。調光部材２０は、第１透明部材１０と第２透明部材１１の間に配置されている。例えば、調光部材２０と第１透明部材１０との間、及び、調光部材２０と第２透明部材１１との間には、後述する中間膜や接着層等が配置されてもよい。図２の例では、調光部材２０からの光の出射方向は、室外側及び室内側のうち任意の方向に設定することができる。この構成によれば、調光部材２０が、室外側又は室内側のいずれかを照明する照明機能を提供することができる。また、調光部材２０が、隣接する空間Ａ１、Ａ２間の目隠し機能を提供することができる。
【００２９】
図３は、本開示の一実施形態に係る調光部材を備える窓構造の概略断面図である。図３の例では、図１と同様に、窓部材１００が、１つの第１透明部材１０を備えている。そして、調光部材２０が第１透明部材１０の第１内側面１０ｂに配置されている。この構成によれば、調光部材２０が、室内側を照明する照明機能を提供することができる。また、調光部材２０が、室内側にいる人に対して目隠しの機能を提供することができる。
【００３０】
図４は、本開示の一実施形態に係る調光部材２０の概略平面図であり、図５は、図４のＡ−Ａ線断面図である。調光部材２０は、第１基材面２１ａ及び第２基材面２１ｂを有する基材２１と、第１基材面２１ａに配置された配線部２２と、基材２１と配線部２２との間に配置された接着層２３と、配線部２２に沿って配列された発光素子２４と、接着層２３上に配置された保護膜２５とを備える。
【００３１】
この例では、発光素子２４が配置された第１基材面２１ａの反対側の第２基材面２１ｂが、接着層を介して第１透明部材１０に貼付けられる。保護膜２５は、発光素子２４が実装された領域（発光素子実装領域）を除く領域に配置されているが、これに限らず、発光素子２４を覆っていてもよい（図示せず）。なお、発光素子実装領域には、発光素子２４の配線部２２への接続箇所及びその周辺部が含まれる。
【００３２】
基材２１は、透光性及び可撓性を有するシートである。基材２１は、必ずしもその全体が完全で透明である必要はなく、無色透明又は有色半透明であってよい。基材２１に透光性及び可撓性を付与し、製造コストも抑制するという観点から、基材２１はできるだけ薄いものが好ましく、例えば、基材２１の厚さは１０μｍ以上２５０μｍ以下であることが好ましい。調光部材２０をシート状に構成することにより、調光部材２０を撓ませながら一端側（例えば、上側）から他端側（例えば、下側）に向かって接合することができるため、作業性が向上する。また、水貼り等を行う場合、調光部材２０を設置領域の内側から外側にかけてスキージで気泡を抜きながら第１透明部材１０に接合することができる。
【００３３】
基材２１として用いる樹脂の好ましい例として、ポリイミド（ＰＩ）、ポリエチレンナフタレート（ＰＥＮ）、ポリエチレンテレフタレート（ＰＥＴ）、非晶ポリアリレート、ポリサルフォン、ポリエーテルサルフォン、ポリエーテルイミド、フッ素樹脂、液晶ポリマー等を挙げることができる。中でも、ポリイミド（ＰＩ）、耐熱性と寸法安定性を向上させたポリエチレンナフタレート（ＰＥＮ）を特に好ましく用いることができる。
【００３４】
例えば、基材２１は、好ましくはヘイズ値が２０％以下であり、より好ましくは１０％以下である。また、基材２１に関して、可視光域における光線透過率が８０％以上であることが好ましい。
【００３５】
なお、本明細書におけるヘイズ値は、ＪＩＳ  Ｋ  ７１３６に準拠した測定が可能な、村上色彩技術研究所製  ヘイズメーター  HM-150を用いる。ＪＩＳ  Ｋ  ７１３６の条件を選択し、ヘイズ値を出力することにより、測定対象のヘイズ値を測定できる。
【００３６】
配線部２２を構成する導電性材料は酸化インジウムスズ（ＩＴＯ）、酸化スズ（ＳｎＯ２）等の透明材料、金属等の不透明のいずれであってもよい。金属としては、アルミニウム、金、銀、銅等を挙げることができる。配線部２２は、材料に応じて、蒸着、金属箔のパターニング、めっき等を用いて形成できる。配線部２２の厚さは、調光部材に要求される耐電流の大きさ等に応じて適宜設定されればよく、特に限定されないが、一例として厚さ１０μｍ〜１００μｍを挙げることができる。放熱性の観点から、配線部２２の厚さは、１０μｍ以上であることが好ましい。また、配線部２２の厚さが１００μｍ以下であることによって、調光部材２０に十分な可撓性を保持することができ、重量増大によるハンドリングの低下も防ぐことができる。
【００３７】
接着層２３を形成する接着剤は、主材樹脂、硬化剤及び溶剤を含んでおり、また、必要に応じてその他の各種添加剤を含んでよい。その他の添加材としては、密着性助剤等を例として挙げることができる。接着剤は、主材樹脂と硬化剤を使用直前に混合する２液タイプであることが好ましい。主材樹脂は、接着剤を形成する際に、硬化剤と反応して架橋され高分子量化する。そのような主材樹脂として、ウレタン系、アクリル系、及びエポキシ系の樹脂を適宜選択することができる。これらの主材樹脂のうち、特に機械特性、電気特性の観点からは、屈曲性及び絶縁性に優れるウレタン系の接着剤を好ましく用いることができる。また、光学特性の観点からは、透明性に優れるアクリル系の接着剤を好ましく用いることができる。また、耐熱性及び耐医薬品性に優れるエポキシ系の接着剤も好ましく使用することができる。
【００３８】
保護膜２５は、熱硬化型又は紫外線硬化型塗工液によって、配線部２２と基材２１の表面に、調光部材２０の耐マイグレーション特性を向上させるために、必要に応じて積層される。保護膜２５もまた、可撓性及び透光性を有するものであり、基材２１に求められる特性と同様の特性を有してよい。例えば、具体的には、保護膜２５は、好ましくはヘイズ値が２０％以下であり、より好ましくは１０％以下である。
【００３９】
保護膜２５を形成する絶縁性塗工液として熱硬化型塗工液を好ましく用いることができる。熱硬化型塗工液は、熱硬化温度が１００℃以下程度のものであれば、公知のインキを適宜好ましく用いることができる。具体的には、ウレタン系、アクリル系、又は、エポキシ系の樹脂であって、接着層２３を形成する接着剤と同一の主材樹脂を含む絶縁性塗工液を用いることができる。また、これらのうちでも、ウレタン系の熱硬化型の絶縁インキは、特に屈曲性及び絶縁性に優れる点から、調光部材２０の材料として好ましく用いることができる。
【００４０】
発光素子２４は、Ｐ型半導体とＮ型半導体が接続されたＰＮ接合部での発光を利用したＬＥＤ素子である。ＬＥＤ素子として、Ｐ型電極及びＮ型電極を素子の上面及び下面に設けた構造や、素子の片面にＰ型電極及びＮ型電極を設けた構造などを用いることができる。
【００４１】
例えば、発光素子２４は、電源（図示せず）に電気的に接続され、第１状態において第１光束で発光し、第２状態において第１光束よりも小さい第２光束となる。一例として、発光素子２４は、第１状態において第１光束で発光し、第２状態で消光する。発光素子２４の制御は、窓部材１００又はその周辺に設置されたコントローラによって行うことができる。なお、発光素子２４は、３つ以上の状態を有してもよい。例えば、発光素子２４は、第１状態において第１光束で発光し、第２状態において第２光束で発光し、第３状態のときに消光してもよい。また、発光素子２４は、色調が変化可能なＬＥＤ素子、例えばＲＧＢ３色ＬＥＤ素子であってもよく、この場合、発光素子２４は、各状態において色調を変化させることができる。
【００４２】
図４に示すように、配線部２２は、平行に配列されたライン状の複数の配線を含む。複数の発光素子２４は、ライン状の配線に沿って、所定の間隔を空けて配置されてよい。隣接する発光素子２４間の間隔Ｗ１は、基材２１全面において同じであってよいし、基材２１の領域ごとに異なるようにしてもよい。また、隣接する配線間の間隔Ｗ２についても、基材２１全面において同じであってよいし、基材２１の領域ごとに異なるようにしてもよい。発光素子２４の配置の具体例については後述する。なお、配線部２２は、ライン状の形態に限らず、マトリクス状の形態であってもよい。
【００４３】
なお、調光部材２０は、必要に応じて更に他の機能層を備えるものであってもよい。例えば、保護膜２５の表面に機能層を備えてもよい。機能層としては、例えば、紫外線吸収層、紫外線反射層、及び、遮熱層などを挙げることができる。遮熱層としては、赤外線の少なくとも一部を減ずることができる材料で構成された層を挙げることができる。また、屋外使用時における、耐水性及び防汚性などを向上させるために、例えば、保護膜２５の表面に、フッ素樹脂からなるオーバーコート層や、これらの特性を向上させることが可能なコーティング層が配置されてもよい。
【００４４】
図６〜図８は、本開示の一実施形態に係る調光部材の概略平面図である。図６〜図８では、調光部材２０の基材２１及び発光素子２４のみが示されており、その他の要素は省略されている。
【００４５】
図６に示すように、複数の発光素子２４は、基材２１の全面において一様に配置されてもよい。すなわち、縦方向に隣接する発光素子２４間の間隔Ｗ３が、基材２１の全面において同じである。また、横方向に隣接する発光素子２４間の間隔Ｗ４が、基材２１の全面において同じである。
【００４６】
複数の発光素子２４は、第１状態において同じ第１光束で発光してもよいし、第１状態において異なる光束で発光してもよい。複数の発光素子２４の全てが第１状態において同じ第１光束で発光する場合、調光部材２０の全面からの光を利用して照明機能を提供したり、調光部材２０の全面において目隠しの機能を提供したりすることができる。
【００４７】
図６の別の例として、複数の発光素子２４が、基材２１の領域ごとに異なる光束で発光するように構成されてもよい。基材２１は、人の目線の高さの位置で横方向に延びる第１基材領域２１Ａと、第１基材領域２１Ａの上部に位置する第２基材領域２１Ｂと、第１基材領域２１Ａの下部に位置する第３基材領域２１Ｃとを有する。例えば、第１基材領域２１Ａにある複数の発光素子２４は、第１状態において第１光束で発光し、第２基材領域２１Ｂ及び第３基材領域２１Ｃにある複数の発光素子２４は、第１状態において第１光束よりも小さい第２光束で発光するか又は消光してもよい。この構成によれば、第１状態のときに、第２基材領域２１Ｂ及び第３基材領域２１Ｃよりも第１基材領域２１Ａからの光の光束が大きくなるため、第１基材領域２１Ａの背面側の情報だけ視認しにくくなり、人の目線の高さに対応する部分にだけ目隠しの機能を提供することができる。
【００４８】
また、第１基材領域２１Ａにある複数の発光素子２４は、第１状態において第２光束で発光するか又は消光し、第２基材領域２１Ｂ及び第３基材領域２１Ｃにある複数の発光素子２４は、第１状態において第１光束で発光してもよい。この構成によれば、第１状態のときに、第１基材領域２１Ａよりも第２基材領域２１Ｂ及び第３基材領域２１Ｃからの光の光束が大きくなり、基材２１の周辺部分がより明るくなる。したがって、調光部材２０が、天井部分や足元部分など照明する間接照明のような機能を提供することができる。
【００４９】
別の例として、複数の発光素子２４は、３つ以上の状態を有し、基材２１の領域ごとに光束を変化させてもよい。この制御は、窓部材１００又はその周辺に設置されたコントローラによって行うことができる。例えば、複数の発光素子２４は、第１状態において第１光束で発光し、第２状態において第１光束よりも小さい第２光束で発光し、第３状態のときに消光してもよい。調光部材２０は、少なくとも第１照明状態及び第２照明状態を有し、第１照明状態と第２照明状態とを切換え可能に構成されてもよい。第１照明状態では、第１基材領域２１Ａにある複数の発光素子２４は、第１光束で発光し、第２基材領域２１Ｂ及び第３基材領域２１Ｃにある複数の発光素子２４は、第２光束で発光する。すなわち、第１照明状態では、上述した目隠しの機能を提供できる。一方、第２照明状態では、第１基材領域２１Ａにある複数の発光素子２４は、第２光束で発光し、第２基材領域２１Ｂ及び第３基材領域２１Ｃにある複数の発光素子２４は、第１光束で発光する。すなわち、第２照明状態では、上述した間接照明の機能を提供できる。このように、調光部材２０が第１照明状態と第２照明状態とを切換えることにより、目隠し機能と間接照明の機能とを切換え可能に構成されてもよい。
【００５０】
図７では、複数の発光素子２４が第１状態において同じ第１光束で発光する。この構成において、複数の発光素子２４の配置密度を、基材２１の領域ごとに変えてもよい。発光素子の配置密度とは、基材２１のある領域における発光素子２４の面積比率として定義される。例えば、基材２１は、中央部分を含む第１基材領域２１Ｄと、第１基材領域２１Ｄの周囲にある第２基材領域２１Ｅを有する。第１基材領域２１Ｄにおける発光素子２４の配置密度は、第２基材領域２１Ｅにおける発光素子２４の配置密度よりも小さい。この構成によれば、調光部材２０が第１状態のときに、第１基材領域２１Ｄからの光の光束よりも第２基材領域２１Ｅからの光の光束の方が大きくなる。この構成によれば、基材２１の周辺部分がより明るくなるため、天井部分や足元部分など照明する間接照明のような機能を提供することができる。
【００５１】
図８では、複数の発光素子２４が第１状態において同じ第１光束で発光する。基材２１は、人の目線の高さの位置で横方向に延びる第１基材領域２１Ａと、第１基材領域２１Ａの上部に位置する第２基材領域２１Ｂと、第１基材領域２１Ａの下部に位置する第３基材領域２１Ｃとを有する。第１基材領域２１Ａにおける発光素子２４の配置密度は、第２基材領域２１Ｂ及び第３基材領域２１Ｃにおける発光素子２４の配置密度よりも大きい。この構成によれば、第１状態のときに、第２基材領域２１Ｂ及び第３基材領域２１Ｃからの光の光束よりも第１基材領域２１Ａからの光の光束の方が大きくなる。この構成によれば、第１基材領域２１Ａの背面側の情報だけ視認しにくくなり、人の目線の高さに対応する部分にだけ目隠しの機能を提供することができる。
【００５２】
なお、図６〜図８の例において、複数の発光素子２４は、色調を変化させてもよい。例えば、複数の発光素子２４は、第１状態において第１色調から第２色調に変化してもよい。また、複数の発光素子２４は、その配置された基材２１の領域ごとに色調を変化させてもよい。この構成によれば、近傍にいる人への照明の印象を変化させることができる。また、色調を変化させることで、背面側の情報をより視認しにくくさせて目隠しの機能を高めることができる。
【００５３】
次に、配線部２２が、透明性の乏しい材料により構成される場合（例えば配線部２２が金属を含む場合）における、基材２１の開口率について説明する。調光部材２０の開口率と、その調光部材２０の背面側に配置される視認情報の視認性との関係から、基材開口率は、好ましくは、６０％以上である。ここで、基材開口率は、基材２１の表面のうち配線部２２が存在しない部分の面積比率として定義される。すなわち、基材開口率は、「１００％−（基材表面のうち配線部２２の被覆率）」によって定義される。したがって、配線部２２の被覆率は、好ましくは４０％以下である。これは、配線部２２の被覆率が４０％を超えると、調光部材２０の背面側の情報の視認が困難となるためである。
【００５４】
図９は、本開示の一実施形態に係る調光部材を備える窓部材の概略断面図であり、１つの透明部材で構成された窓部材に調光部材を適用した例を示す。上述と同様に、第１空間Ａ１は室外であり、第２空間Ａ２は室内である。
【００５５】
図９（ａ）に示すように、調光部材２０は、第１透明部材１０の第１外側面１０ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００５６】
図９（ｂ）に示すように、調光部材２０は、第１透明部材１０の第１内側面１０ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。
【００５７】
図９（ｃ）に示すように、調光部材２０は、第１透明部材１０の第１外側面１０ａに部分的に配置されてもよい。或いは、出射される光の光束が領域ごとに異なる調光部材２０（図６〜図８参照）が、第１透明部材１０の第１外側面１０ａに配置されてもよい。調光部材２０を部分的に配置する構成は、これに限定されないが、一例として、調光部材２０が人の目線の高さに部分的に配置された例を説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００５８】
図９（ｄ）に示すように、調光部材２０は、第１透明部材１０の第１内側面１０ｂに部分的に配置されてもよい。或いは、出射される光の光束が領域ごとに異なる調光部材２０（図６〜図８参照）が、第１透明部材１０の第１内側面１０ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。
【００５９】
図１０は、本開示の一実施形態に係る調光部材を備える窓部材の概略断面図であり、合わせガラスで構成された窓部材に調光部材を適用した例を示す。合わせガラスとは、複数のガラス板の間に中間膜を挟み、中間膜を介して複数のガラスを接着したものをいう。
【００６０】
窓部材１００は、第１空間Ａ１側に配置された第１透明部材１０と、第２空間Ａ２側に配置された第２透明部材１１と、第１透明部材１０と第２透明部材１１との間に配置された中間膜１２とを備える。上述と同様に、第１空間Ａ１は室外であり、第２空間Ａ２は室内である。
【００６１】
中間膜１２は、少なくとも第１の層を含む。第１の層は、熱接着性樹脂を含む。熱接着性樹脂としては、熱硬化性材料、熱可塑性材料が挙げられる。なかでも熱可塑性材料が好ましく用いられる。熱可塑性材料としては、例えば、ポリビニルアセタール樹脂（ポリビニルブチラール（ＰＶＢ）樹脂を含む）、エチレン・酢酸ビニル共重合体（ＥＶＡ）樹脂、アイオノマー樹脂、塩化ビニル樹脂、ウレタン樹脂、又はポリアミド樹脂等が用いられる。なかでもポリビニルアセタール樹脂、エチレン・酢酸ビニル共重合体樹脂、アイオノマー樹脂は、耐貫通性の観点で優れ、さらに、エチレン・酢酸ビニル共重合体樹脂、アイオノマー樹脂は、耐湿性の観点で優れる。
【００６２】
さらに、中間膜１２は、第１の層に積層された第２の層を含んでもよい。第２の層は、中間膜１２による遮音性を向上させる層であってもよく、例えば、熱可塑性樹脂及び可塑剤を含む層や、熱可塑性エラストマーを含む層等で構成される。なお、熱可塑性エラストマーとは、加熱により軟化して可塑性を示し、冷却すると固化してゴム弾性を示す高分子化合物をいう。
【００６３】
さらに、中間膜１２は、第２の層に積層された第３の層を含んでもよい。この場合、中間膜１２は、第１透明部材１０側から、第１の層、第２の層、及び第３の層をこの順に含む。第３の層は、熱接着性樹脂を含む。なかでも熱可塑性材料が好ましく用いられ、熱可塑性材料としては、例えば、ポリビニルアセタール樹脂（ポリビニルブチラール樹脂を含む）、エチレン・酢酸ビニル共重合体樹脂、アイオノマー樹脂、塩化ビニル樹脂、ウレタン樹脂、又はポリアミド樹脂等が用いられる。なかでもポリビニルアセタール樹脂、エチレン・酢酸ビニル共重合体樹脂、アイオノマー樹脂は、耐貫通性の観点で優れ、さらに、エチレン・酢酸ビニル共重合体樹脂、アイオノマー樹脂は、耐湿性の観点で優れる。接着性及び遮音性を両立する観点から、中間膜１２は、ゴム弾性を有する第２の層を、第１の層及び第３の層で挟んだ構造を有してもよい。
【００６４】
また、中間膜１２を構成する層の少なくとも１つが、遮熱材料、紫外線吸収剤等を含んでもよい。遮熱材料としては、赤外線の少なくとも一部を減ずることができる材料であり、好ましくは中赤外線を減ずることができる材料が用いられる。例えば、錫ドープ酸化インジウム（ＩＴＯ）、アンチモンドープ酸化錫（ＡＴＯ）、アルミニウムドープ酸化亜鉛（ＡＺＯ）、フタロシアニン化合物（ＮＩＯＢＰ）、ナフタロシアニン化合物、アントラシアニン骨格を有する化合物、一般式ＭｍＷＯｎ（Ｍは金属元素を表し、ｍは０．０１以上、１．０以下、ｎは２．２以上、３．０以下である）で表される金属ドープ酸化タングステン、アンチモン酸亜鉛（ＺｎＳｂ２Ｏ５）、六ホウ化ランタンなどが挙げられる。紫外線吸収剤としては、紫外線の少なくとも一部を減ずることができる材料が用いられる。例えば、ベンゾトリアゾール系紫外線吸収剤、ヒンダードアミン系紫外線吸収剤、ベンゾエート系紫外線吸収剤等が用いられる。このように、中間膜１２は、単層ないし多層の構造として構成されうる。
【００６５】
以上で説明した合わせガラスの構造によれば、強い外部衝撃を受けた場合に、ガラス破片が飛散したり、ガラス部材を貫通したりすることを防ぐことができる。これにより、安全性及び防犯性を高めることができる。また、遮音性も高めることができる。本実施形態によれば、上述の合わせガラスの効果を提供しながら、以下に説明するような照明機能及び／又は視野の制御が可能な窓部材１００を提供することができる。
【００６６】
第１透明部材１０は、第１外側面１０ａと、第１外側面１０ａと反対側の第１内側面１０ｂとを有する。また、第２透明部材１１は、第２外側面１１ａと、第２外側面１１ａと反対側の第２内側面１１ｂとを有する。
【００６７】
図１０（ａ）に示すように、調光部材２０は、第１透明部材１０の第１外側面１０ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００６８】
図１０（ｂ）に示すように、調光部材２０は、第１透明部材１０の第１内側面１０ｂに配置された第１中間膜１２Ａと、第２透明部材１１の第２外側面１１ａに配置された第２中間膜１２Ｂとの間に配置されてもよい。この例では、調光部材２０の発光側は、室外側又は室内側のどちらに設定されてもよい。例えば、調光部材２０は、第１状態において第１光束で室外側又は室内側に発光し、第２状態で消光する。この構成によれば、調光部材２０が室外側又は室内側のいずれかを照明する照明機能を提供することができる。また、室外側又は室内側のいずれかの側にいる人に対しての目隠し機能も提供することができる。また、調光部材２０が、第１透明部材１０と第２透明部材１１の間に配置されることにより、調光部材２０に用いられる材料の経年劣化が抑制される。さらに、第１状態においては、調光部材２０の発光素子２４から熱が発生し、その熱によって第１透明部材１０や第２透明部材１１の曇りを防止することができる。したがって、調光部材２０が、照明機能だけでなく、デフロスタの機能も提供することができる。
【００６９】
図１０（ｃ）に示すように、調光部材２０は、第２透明部材１１の第２内側面１１ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。
【００７０】
図１０（ｄ）に示すように、調光部材２０は、第１透明部材１０の第１外側面１０ａに部分的に配置されてもよい。或いは、出射される光の光束が領域ごとに異なる調光部材２０（図６〜図８参照）が、第１透明部材１０の第１外側面１０ａに配置されてもよい。調光部材２０を部分的に配置する構成は、これに限定されないが、例えば、調光部材２０が人の目線の高さに部分的に配置された例で説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００７１】
図１０（ｅ）に示すように、調光部材２０は、第１透明部材１０の第１内側面１０ｂに配置された第１中間膜１２Ａと、第２透明部材１１の第２外側面１１ａに配置された第２中間膜１２Ｂとの間において部分的に配置されてもよい。或いは、出射される光の光束が領域ごとに異なる調光部材２０（図６〜図８参照）が、第１中間膜１２Ａと第２中間膜１２Ｂとの間に配置されてもよい。この例では、調光部材２０の発光側は、室外側又は室内側のどちらに設定されてもよい。例えば、調光部材２０は、第１状態において第１光束で室外側又は室内側に発光し、第２状態で消光する。この構成によれば、調光部材２０が室外側又は室内側のいずれかを照明する照明機能を提供することができる。調光部材２０を部分的に配置する構成は、これに限定されないが、例えば、調光部材２０を人の目線の高さに部分的に配置することで、調光部材２０が目隠しとしての機能を提供することもできる。また、第２状態においては、調光部材２０は消光しているため、本来の窓としての機能（窓を介して窓の背面側の情報が視認できる機能）を提供することができる。また、調光部材２０が、第１透明部材１０と第２透明部材１１の間に配置されることにより、調光部材２０に用いられる材料の経年劣化が抑制される。さらに、第１状態においては、調光部材２０の発光素子２４から熱が発生し、その熱によって第１透明部材１０や第２透明部材１１の曇りを防止することができる。したがって、調光部材２０が、照明機能だけでなく、デフロスタの機能も提供することができる。
【００７２】
図１０（ｆ）に示すように、調光部材２０は、第２透明部材１１の第２内側面１１ｂに部分的に配置されてもよい。或いは、出射される光の光束が領域ごとに異なる調光部材２０（図６〜図８参照）が、第２透明部材１１の第２内側面１１ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。
【００７３】
図１１は、本開示の一実施形態に係る調光部材を備える窓部材の概略断面図であり、複層ガラスで構成された窓部材に調光部材を適用した例を示す。複層ガラス（ペアガラスともいう）とは、複数枚の透明部材（例えば、ガラス板）を重ねて、それら透明部材の間に乾燥空気やアルゴンガス等を封入したり、真空にしたりしたものである。
【００７４】
窓部材１００は、第１空間Ａ１側に配置された第１透明部材１０と、第２空間Ａ２側に配置された第２透明部材１１と、第１透明部材１０と第２透明部材１１との間を所定の間隔をあけて配置するとともに第１透明部材１０と第２透明部材１１との間の空間を密閉に維持するための封止部材１３とを備える。第１透明部材１０と第２透明部材１１との間の密閉空間Ａ３には、乾燥空気又はアルゴンガス等が封入されている。
【００７５】
以上で説明した複層ガラスの構造によれば、高い断熱性を提供することができる。本実施形態によれば、上述の複層ガラスの効果を提供しながら、以下に説明するような照明機能及び／又は視野の制御が可能な窓部材１００を提供することができる。
【００７６】
図１１（ａ）に示すように、調光部材２０は、第１透明部材１０の第１外側面１０ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００７７】
図１１（ｂ）に示すように、調光部材２０は、第１透明部材１０の第１内側面１０ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。さらに、第１状態においては、調光部材２０の発光素子２４から熱が発生し、その熱が密閉空間Ａ３に籠るため、その熱によって第１透明部材１０や第２透明部材１１の曇りを防止することができる。したがって、調光部材２０が、照明機能だけでなく、デフロスタの機能も提供することができる。
【００７８】
なお、必要に応じて追加の機能層が配置されてもよい。例えば、第１透明部材１０の第１内側面１０ｂに対向する第２透明部材１１の第２外側面１１ａに、第１機能層１４が配置されてもよい。第１機能層１４として、反射防止層、光透過調整層、及び、光拡散層を挙げることができる。第１機能層１４として反射防止層を配置した場合、調光部材２０からの光の第２透明部材１１での反射を防止することができ、室内側を照明する機能を高めることができる。第１機能層１４として光透過調整層（例えば、ティントフィルム）を配置した場合、調光部材２０からの光の第２透明部材１１での透過率を調整することができ、室内側を照明する機能を調整することができる。第１機能層１４として光拡散層を配置した場合、調光部材２０からの光を室内全体に拡散させることができる。なお、第１機能層１４は、第２透明部材１１の第２外側面１１ａにおいて部分的に配置されてもよい。この構成によれば光の反射度合や透過度合を部分的に制御することができる。
【００７９】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【００８０】
図１１（ｃ）に示すように、調光部材２０は、第２透明部材１１の第２外側面１１ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。さらに、第１状態においては、調光部材２０の発光素子２４から熱が発生し、その熱が密閉空間Ａ３に籠るため、第１透明部材１０や第２透明部材１１の曇りを防止することができる。したがって、調光部材２０が、照明機能だけでなく、デフロスタの機能も提供することができる。
【００８１】
なお、必要に応じて追加の機能層が配置されてもよい。例えば、第２透明部材１１の第２外側面１１ａに対向する第１透明部材１０の第１内側面１０ｂに、第１機能層１４が配置されてもよい。第１機能層１４として、反射防止層、光透過調整層、及び、光拡散層を挙げることができる。第１機能層１４として反射防止層を配置した場合、調光部材２０からの光の第１透明部材１０での反射を防止することができ、室外側を照明する機能を高めることができる。第１機能層１４として光透過調整層（例えば、ティントフィルム）を配置した場合、調光部材２０からの光の第１透明部材１０での透過率を調整することができ、室外側を照明する機能を調整することができる。第１機能層１４として光拡散層を配置した場合、調光部材２０からの光を室外に拡散させることができる。なお、第１機能層１４は、第１透明部材１０の第１内側面１０ｂにおいて部分的に配置されてもよい。この構成によれば光の反射度合や透過度合を部分的に制御することができる。
【００８２】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【００８３】
図１１（ｄ）に示すように、調光部材２０は、第２透明部材１１の第２内側面１１ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。
【００８４】
図１１（ｅ）に示すように、調光部材２０は、第１透明部材１０の第１外側面１０ａに部分的に配置されてもよい。或いは、出射される光の光束が領域ごとに異なる調光部材２０（図６〜図８参照）が、第１透明部材１０の第１外側面１０ａに配置されてもよい。調光部材２０を部分的に配置する構成は、これに限定されないが、例えば、調光部材２０が人の目線の高さに部分的に配置された例で説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００８５】
図１１（ｆ）に示すように、調光部材２０は、第１透明部材１０の第１内側面１０ｂに部分的に配置されてもよい。或いは、出射される光の光束が領域ごとに異なる調光部材２０（図６〜図８参照）が、第１透明部材１０の第１内側面１０ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。さらに、第１状態においては、調光部材２０の発光素子２４から熱が発生し、その熱が密閉空間Ａ３に籠るため、その熱によって第１透明部材１０や第２透明部材１１の曇りを防止することができる。したがって、調光部材２０が、照明機能だけでなく、デフロスタの機能も提供することができる。
【００８６】
なお、必要に応じて追加の機能層が配置されてもよい。例えば、第１透明部材１０の第１内側面１０ｂに対向する第２透明部材１１の第２外側面１１ａに、第１機能層１４が配置されてもよい。第１機能層１４として、反射防止層、光透過調整層、及び、光拡散層を挙げることができる。第１機能層１４として反射防止層を配置した場合、調光部材２０からの光の第２透明部材１１での反射を防止することができ、室内側を照明する機能を高めることができる。第１機能層１４として光透過調整層（例えば、ティントフィルム）を配置した場合、調光部材２０からの光の第２透明部材１１での透過率を調整することができ、室内側を照明する機能を調整することができる。第１機能層１４として光拡散層を配置した場合、調光部材２０からの光を室内全体に拡散させることができる。なお、第１機能層１４は、第２透明部材１１の第２外側面１１ａにおいて部分的に配置されてもよい。この構成によれば光の反射度合や透過度合を部分的に制御することができる。
【００８７】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【００８８】
図１１（ｇ）に示すように、調光部材２０は、第２透明部材１１の第２外側面１１ａに部分的に配置されてもよい。或いは、出射される光の光束が領域ごとに異なる調光部材２０（図６〜図８参照）が、第２透明部材１１の第２外側面１１ａに配置されてもよい。調光部材２０を部分的に配置する構成は、これに限定されないが、例えば、調光部材２０が人の目線の高さに部分的に配置された例で説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。さらに、第１状態においては、調光部材２０の発光素子２４から熱が発生し、その熱が密閉空間Ａ３に籠るため、第１透明部材１０や第２透明部材１１の曇りを防止することができる。したがって、調光部材２０が、照明機能だけでなく、デフロスタの機能も提供することができる。
【００８９】
なお、必要に応じて追加の機能層が配置されてもよい。例えば、第２透明部材１１の第２外側面１１ａに対向する第１透明部材１０の第１内側面１０ｂに、第１機能層１４が配置されてもよい。第１機能層１４として、反射防止層、光透過調整層、及び、光拡散層を挙げることができる。第１機能層１４として反射防止層を配置した場合、調光部材２０からの光の第１透明部材１０での反射を防止することができ、室外側を照明する機能を高めることができる。第１機能層１４として光透過調整層（例えば、ティントフィルム）を配置した場合、調光部材２０からの光の第１透明部材１０での透過率を調整することができ、室外側を照明する機能を調整することができる。第１機能層１４として光拡散層を配置した場合、調光部材２０からの光を室外に拡散させることができる。なお、第１機能層１４は、第１透明部材１０の第１内側面１０ｂにおいて部分的に配置されてもよい。この構成によれば光の反射度合や透過度合を部分的に制御することができる。
【００９０】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【００９１】
図１１（ｈ）に示すように、調光部材２０は、第２透明部材１１の第２内側面１１ｂに部分的に配置されてもよい。或いは、出射される光の光束が領域ごとに異なる調光部材２０（図６〜図８参照）が、第２透明部材１１の第２内側面１１ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。
【００９２】
なお、図１０の合わせガラスが、図１１の複層ガラスに適用されてもよい。すなわち、図１１の第１透明部材１０及び第２透明部材１１の一方が図１０の合わせガラスに置き換えられてもよい。この複層ガラスは、いわゆる合わせ複層ガラスとも呼ばれる構造である。この構成によれば、複層ガラスの一方のガラスが合わせガラスの構造を備えるため、防犯性、断熱性、及び遮音性をより高めることができる。
【００９３】
図１２は、本開示の一実施形態に係る調光部材を備える窓部材の概略断面図であり、二重窓構造の窓部材に調光部材を適用した例を示す。二重窓構造とは、２つの透明部材（典型的にはガラスであるが、これに限定されない）が所定の間隔を空けて配置され２つの透明部材が相対移動可能に構成された構造をいう。２つの透明部材は、開閉時に少なくとも一方が、他方に対して傾斜、スライド、又は回転等により相対位置を変更可能に構成されている。例えば、２つの透明部材が、別箇のレールに収容され、別個にレールに沿って移動できる構造を挙げることができる。二重窓構造は、例えば、２つの透明部材を同時に設置施工したり、第１透明部材が設置済みである状態で第２透明部材が後から設定施工したりすることにより、製造される。後述する図１２（ａ）〜（ｈ）において、調光部材２０が予め貼合された状態で透明部材が設置施工されてもよいし、透明部材が設置施工された後で調光部材２０が貼合されてもよい。
【００９４】
窓部材１００は、第１上側レール３１及び第１下側レール３２によって案内される第１透明部材１０と、第２上側レール４１及び第２下側レール４２によって案内される第２透明部材１１とを備える。第１透明部材１０と第２透明部材１１との間隔を、例えば、断熱性及び遮音性の観点から８ｍｍ〜２０ｍｍの範囲で設定してもよい。
【００９５】
以上で説明した二重窓構造によれば、二枚の透明部材１０、１１で室外と室内が区分けされるため、断熱性及び遮音性を高めることができる。また、これに加えて、安全性及び防犯性を高めることができる。本実施形態によれば、上述の二重窓構造の効果を提供しながら、以下に説明するような照明機能及び／又は視野の制御が可能な窓部材１００を提供することができる。
【００９６】
図１２（ａ）に示すように、調光部材２０は、第１透明部材１０の第１外側面１０ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【００９７】
図１２（ｂ）に示すように、調光部材２０は、第１透明部材１０の第１内側面１０ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。
【００９８】
なお、必要に応じて追加の機能層が配置されてもよい。例えば、第１透明部材１０の第１内側面１０ｂに対向する第２透明部材１１の第２外側面１１ａに、第１機能層１４が配置されてもよい。第１機能層１４として、反射防止層、光透過調整層、及び、光拡散層を挙げることができる。第１機能層１４として反射防止層を配置した場合、調光部材２０からの光の第２透明部材１１での反射を防止することができ、室内側を照明する機能を高めることができる。第１機能層１４として光透過調整層（例えば、ティントフィルム）を配置した場合、調光部材２０からの光の第２透明部材１１での透過率を調整することができ、室内側を照明する機能を調整することができる。第１機能層１４として光拡散層を配置した場合、調光部材２０からの光を室内全体に拡散させることができる。なお、第１機能層１４は、第２透明部材１１の第２外側面１１ａにおいて部分的に配置されてもよい。この構成によれば光の反射度合や透過度合を部分的に制御することができる。
【００９９】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【０１００】
図１２（ｃ）に示すように、調光部材２０は、第２透明部材１１の第２外側面１１ａに配置されてもよい。例えば、調光部材２０は、第１状態において第１光束で室外側に発光し、第２状態で消光する。この構成によれば、調光部材２０が第１状態において室外側を照明する照明機能を提供することができる。また、室外側にいる人は、第１状態において室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。
【０１０１】
なお、必要に応じて追加の機能層が配置されてもよい。例えば、第２透明部材１１の第２外側面１１ａに対向する第１透明部材１０の第１内側面１０ｂに、第１機能層１４が配置されてもよい。第１機能層１４として、反射防止層、光透過調整層、及び、光拡散層を挙げることができる。第１機能層１４として反射防止層を配置した場合、調光部材２０からの光の第１透明部材１０での反射を防止することができ、室外側を照明する機能を高めることができる。第１機能層１４として光透過調整層（例えば、ティントフィルム）を配置した場合、調光部材２０からの光の第１透明部材１０での透過率を調整することができ、室外側を照明する機能を調整することができる。第１機能層１４として光拡散層を配置した場合、調光部材２０からの光を室外に拡散させることができる。なお、第１機能層１４は、第１透明部材１０の第１内側面１０ｂにおいて部分的に配置されてもよい。この構成によれば光の反射度合や透過度合を部分的に制御することができる。
【０１０２】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【０１０３】
図１２（ｄ）に示すように、調光部材２０は、第２透明部材１１の第２内側面１１ｂに配置されてもよい。例えば、調光部材２０は、第１状態において第１光束で室内側に発光し、第２状態で消光する。この構成によれば、調光部材２０が第１状態において室内側を照明する照明機能を提供することができる。また、第２状態においては、調光部材２０は消光しているため、本来の窓としての機能（窓を介して窓の背面側の情報が視認できる機能）を提供することができる。
【０１０４】
図１２（ｅ）に示すように、調光部材２０は、第１透明部材１０の第１外側面１０ａに部分的に配置されてもよい。或いは、出射される光の光束が領域ごとに異なる調光部材２０（図６〜図８参照）が、第１透明部材１０の第１外側面１０ａに配置されてもよい。調光部材２０を部分的に配置する構成は、これに限定されないが、例えば、調光部材２０が人の目線の高さに部分的に配置された例で説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。
【０１０５】
図１２（ｆ）に示すように、調光部材２０は、第１透明部材１０の第１内側面１０ｂに部分的に配置されてもよい。或いは、出射される光の光束が領域ごとに異なる調光部材２０（図６〜図８参照）が、第１透明部材１０の第１内側面１０ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。
【０１０６】
なお、必要に応じて追加の機能層が配置されてもよい。例えば、第１透明部材１０の第１内側面１０ｂに対向する第２透明部材１１の第２外側面１１ａに、第１機能層１４が配置されてもよい。第１機能層１４として、反射防止層、光透過調整層、及び、光拡散層を挙げることができる。第１機能層１４として反射防止層を配置した場合、調光部材２０からの光の第２透明部材１１での反射を防止することができ、室内側を照明する機能を高めることができる。第１機能層１４として光透過調整層（例えば、ティントフィルム）を配置した場合、調光部材２０からの光の第２透明部材１１での透過率を調整することができ、室内側を照明する機能を調整することができる。第１機能層１４として光拡散層を配置した場合、調光部材２０からの光を室内全体に拡散させることができる。なお、第１機能層１４は、第２透明部材１１の第２外側面１１ａにおいて部分的に配置されてもよい。この構成によれば光の反射度合や透過度合を部分的に制御することができる。
【０１０７】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【０１０８】
図１２（ｇ）に示すように、調光部材２０は、第２透明部材１１の第２外側面１１ａに部分的に配置されてもよい。或いは、出射される光の光束が領域ごとに異なる調光部材２０（図６〜図８参照）が、第２透明部材１１の第２外側面１１ａに配置されてもよい。調光部材２０を部分的に配置する構成は、これに限定されないが、例えば、調光部材２０が人の目線の高さに部分的に配置された例で説明する。調光部材２０は、第１状態において第１光束で室外側に発光し、第２状態で消光する。この構成によれば、調光部材２０が室外側を照明する照明機能を提供することができる。また、調光部材２０を人の目線の高さに部分的に配置することで、室外側にいる人は室内側が視認しにくくなり、調光部材２０が目隠しとしての機能を提供することもできる。また、第２状態においては、調光部材２０は消光しているため、本来の窓としての機能（窓を介して窓の背面側の情報が視認できる機能）を提供することができる。また、調光部材２０が第１透明部材１０と第２透明部材１１の間に配置されることにより、調光部材２０に用いられる材料の経年劣化が抑制される。
【０１０９】
なお、必要に応じて追加の機能層が配置されてもよい。例えば、第２透明部材１１の第２外側面１１ａに対向する第１透明部材１０の第１内側面１０ｂに、第１機能層１４が配置されてもよい。第１機能層１４として、反射防止層、光透過調整層、及び、光拡散層を挙げることができる。第１機能層１４として反射防止層を配置した場合、調光部材２０からの光の第１透明部材１０での反射を防止することができ、室外側を照明する機能を高めることができる。第１機能層１４として光透過調整層（例えば、ティントフィルム）を配置した場合、調光部材２０からの光の第１透明部材１０での透過率を調整することができ、室外側を照明する機能を調整することができる。第１機能層１４として光拡散層を配置した場合、調光部材２０からの光を室外に拡散させることができる。なお、第１機能層１４は、第１透明部材１０の第１内側面１０ｂにおいて部分的に配置されてもよい。この構成によれば光の反射度合や透過度合を部分的に制御することができる。
【０１１０】
また、調光部材２０に対して日光の入射側にある面（例えば、第１透明部材１０の第１外側面１０ａ）に、第２機能層１５が配置されてもよい。第２機能層１５として、紫外線吸収層、紫外線反射層、及び、遮熱層などを挙げることができる。遮熱層としては、赤外線の少なくとも一部を減ずることができる材料で構成された層を挙げることができる。第２機能層１５を配置することにより、調光部材２０に用いられる材料が紫外線や赤外線によって劣化することを防ぐことができる。
【０１１１】
図１２（ｈ）に示すように、調光部材２０は、第２透明部材１１の第２内側面１１ｂに部分的に配置されてもよい。或いは、出射される光の光束が領域ごとに異なる調光部材２０（図６〜図８参照）が、第２透明部材１１の第２内側面１１ｂに配置されてもよい。調光部材２０を部分的に配置する構成は、これに限定されないが、一例として、調光部材２０が、天井に近い位置及び足元の位置に部分的に配置された例を説明する。調光部材２０は、第１状態において第１光束で室内側に発光し、第２状態で消光する。この構成によれば、調光部材２０が、天井部分や足元部分などを照明する間接照明の機能を提供することができる。また、第２状態においては、調光部材２０は消光しているため、本来の窓としての機能（窓を介して窓の背面側の情報が視認できる機能）を提供することができる。
【０１１２】
なお、図１０の合わせガラス又は図１１の複層ガラスが、図１２の二重窓構造に適用されてもよい。すなわち、図１２の第１透明部材１０及び第２透明部材１１の一方が、図１０の合わせガラス又は図１１の複層ガラスに置き換えられてもよい。この構成によれば、防犯性、断熱性、及び遮音性をより高めることができる。
【０１１３】
図１３は、本開示の一実施形態に係る調光部材を備える窓部材の概略断面図である。図１３（ａ）に示すように、窓部材１００は、第１透明部材１０と、第１透明部材１０の第１外側面１０ａに配置された第１調光部材２０Ａと、第１透明部材１０の第１内側面１０ｂに配置された第２調光部材２０Ｂとを備える。
【０１１４】
第１調光部材２０Ａは、第１状態において第１光束で発光し、第２状態において第１光束よりも小さい第２光束になるように構成されている。例えば、第１調光部材２０Ａは、第１状態において第１光束で発光し、第２状態で消光する。また、第２調光部材２０Ｂは、第１状態において第３光束で発光し、第２状態において第３光束よりも小さい第４光束になるように構成されている。例えば、第２調光部材２０Ｂは、第１状態において第３光束で発光し、第２状態で消光する。
【０１１５】
例えば、第１調光部材２０Ａの第１状態における第１光束は、第２調光部材２０Ｂの第１状態における第３光束よりも大きい。この構成によれば、室外側にいる人は、第１調光部材２０Ａからの照明によって室内側が視認しにくくなる。これにより、目隠しとしての機能を提供することができる。これに加えて、第２調光部材２０Ｂが室内側を照明することができる。
【０１１６】
なお、目隠しの機能をより効果的に発揮させるためには、第１調光部材２０Ａの第１状態における第１光束Ｌ１と第２調光部材２０Ｂの第１状態における第３光束Ｌ２との比（Ｌ１／Ｌ２）は、１より大きく、好ましくは、１．１以上、さらに好ましくは、１．２０以上である。
【０１１７】
また、別の例として、第２調光部材２０Ｂの第１状態における第３光束は、第１調光部材２０Ａの第１状態における第１光束よりも大きくてもよい。この構成によれば、室内側に対して、より明るい照明機能を提供することができる。
【０１１８】
なお、第１調光部材２０Ａ及び第２調光部材２０Ｂは、それぞれ、３つ以上の状態を有し、調光部材２０Ａ、２０Ｂごとに光束を変化させてもよい。この制御は、窓部材１００又はその周辺に設置されたコントローラ（スイッチなど）によって行うことができる。例えば、第１調光部材２０Ａは、第１状態において第１光束で発光し、第２状態において第１光束よりも小さい第２光束で発光し、第３状態のときに消光してもよい。また、第２調光部材２０Ｂは、第１状態において第１光束で発光し、第２状態において第２光束で発光し、第３状態のときに消光してもよい。第１調光部材２０Ａ及び第２調光部材２０Ｂは、少なくとも第１照明組み合わせパターンと第２照明組み合わせパターンを有し、第１照明組み合わせパターンと第２照明組み合わせパターンとを切換え可能に構成されてもよい。第１照明組み合わせパターンでは、第１調光部材２０Ａが第１光束で発光し、第２調光部材２０Ｂが第２光束で発光するか又は消光する。このパターンでは、室外側への目隠し機能を提供することができる。第２照明組み合わせパターンでは、第１調光部材２０Ａが第２光束で発光するか又は消光し、第２調光部材２０Ｂが第１光束で発光する。このパターンでは、室内側への照明機能を提供することができる。この構成では、第１照明組み合わせパターンと第２照明組み合わせパターンとの間において、第１調光部材２０Ａの光束と第２調光部材２０Ｂの光束の大小関係が逆になる。第１調光部材２０Ａ及び第２調光部材２０Ｂが、第１照明組み合わせパターンと第２照明組み合わせパターンとを切換えることにより、室外側への目隠し機能と室内側への照明機能を切換えることができる。
【０１１９】
図１３（ｂ）に示すように、本実施形態は、図１０の合わせガラスに適用されてもよい。第１調光部材２０Ａが第１透明部材１０の第１外側面１０ａに配置され、第２調光部材２０Ｂが第２透明部材１１の第２内側面１１ｂに配置されてもよい。なお、この構成に限定されず、第１調光部材２０Ａ及び第２調光部材２０Ｂの一方又は両方が、第１透明部材１０と第２透明部材１１との間に配置されてもよい。
【０１２０】
図１３（ｃ）に示すように、本実施形態は、図１１の複層ガラスに適用されてもよい。第１調光部材２０Ａが第１透明部材１０の第１外側面１０ａに配置され、第２調光部材２０Ｂが第２透明部材１１の第２内側面１１ｂに配置されてもよい。なお、この構成に限定されず、第１調光部材２０Ａ及び第２調光部材２０Ｂが、第１透明部材１０又は第２透明部材１１のいずれか一方の両面に配置されるような構成でもよい。
【０１２１】
図１３（ｄ）に示すように、本実施形態は、図１２の二重窓構造に適用されてもよい。第１調光部材２０Ａが第１透明部材１０の第１外側面１０ａに配置され、第２調光部材２０Ｂが第２透明部材１１の第２内側面１１ｂに配置されてもよい。なお、この構成に限定されず、第１調光部材２０Ａ及び第２調光部材２０Ｂが、第１透明部材１０又は第２透明部材１１のいずれか一方の両面に配置されるような構成でもよい。
【０１２２】
なお、図１３の例において、第１調光部材２０Ａ及び／又は第２調光部材２０Ｂが、その設置された面において部分的に配置されてもよい。また、第１調光部材２０Ａ及び／又は第２調光部材２０Ｂが、出射される光の光束が領域ごとに異なる構成（図６〜図８参照）を備えてもよい。
【０１２３】
図１４は、本開示の一実施形態に係る調光部材を備える窓部材の概略断面図である。図１４（ａ）に示すように、反射板１６が、調光部材２０上に配置されてもよい。例えば、調光部材２０は、第１状態において第１光束で発光し、第２状態で消光する。反射板１６は、調光部材２０からの光の一部を反射し、残りの光を透過させる機能を有する。このとき、第１状態において反射板１６を透過する光の光束と、第１状態において反射板１６で反射した光の光束とが異なる。例えば、第１空間Ａ１側（室外側）に透過する光の光束は、第２空間Ａ２側（室内側）に反射する光の光束よりも大きい。この構成によれば、室外側にいる人は、室内側が視認しにくくなり、目隠しの機能を提供することができる。これに加えて、室内側への照明機能も提供することができる。また、この構成によれば、単一の調光部材を用いて、第１空間Ａ１側（室外側）と第２空間Ａ２側（室内側）とで異なる明るさを提供することができる。
【０１２４】
また、別の例として、室内側に反射する光の光束は、室外側に透過する光の光束よりも大きくてもよい。この構成によれば、室外側にいる人に対する照明機能を提供しながら、室内側をより大きな光束で照明することができる。
【０１２５】
図１４（ｂ）に示すように、反射板１６が、調光部材２０上に部分的に配置されてもよい。この構成によれば、反射板１６が配置されていない部分では調光部材２０からの光をそのまま室外側に照射することができ、反射板１６が配置されている部分では光を室内側に反射させることができる。反射板１６の配置によって、上述した目隠しの機能や照明機能を提供することができる。
【０１２６】
なお、図１４では、１枚の第１透明部材１０を備える窓部材１００に反射板１６を適用した例を示したが、反射板１６は、図９〜図１２で示したいずれの形態にも適用可能である。また、図１４において、さらに調光部材２０より出射する光の光路において反射板１６よりも後ろの位置に上述の光拡散層１４を配置してもよい。
【０１２７】
図１５は、本開示の一実施形態に係る調光部材の概略断面図である。図１５では、調光部材２０のみを示し、透明部材の図示が省略されている。調光部材２０は、導光板２６と、導光板２６の中に配置された複数の拡散体２７と、導光板２６の第１端部２６ｃに配置された発光素子２４とを備える。なお、この構成に限定されず、発光素子２４が、第１端部２６ｃと反対側の図示省略の第２端部に配置され、両側から光を入射させるような構成でもよい。また、拡散体２７の形状は図示に限定されず、例えば、その形状は断面視において、三角形、四角形等の多角形等であってもよい。
【０１２８】
導光板２６は、第１端部２６ｃから入射する発光素子２４からの光を面全体に拡散させることが可能な板である。導光板２６として用いられる材料として、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）が好適に使用され得る。また、拡散体２７としては、例えば、金属酸化物を周囲に保持した樹脂ビーズ、シリカ（二酸化珪素）、アルミナ（酸化アルミニウム）等の白色物質、周囲と屈折率が異なる樹脂（例えばアクリル樹脂、ポリカーボネート樹脂、シリコーン樹脂、ポリスチレン樹脂等）等の透明物質からなる粒子を用いて構成することができる。
【０１２９】
例えば、発光素子２４は、電源（図示せず）に電気的に接続され、第１状態で発光し、第２状態で消光する。第１状態において発光素子２４が発光したとき、発光素子２４からの光の一部が第１空間Ａ１側（室外側）に導かれるように拡散体２７で反射し、また、光の一部が第２空間Ａ２側（室内側）に導かれるように拡散体２７で反射する。これにより、第１空間Ａ１側（室外側）及び第２空間Ａ２側（室内側）に光を出射したり、第１空間Ａ１側（室外側）及び第２空間Ａ２側（室内側）に選択的に光を出射したりすることができる。このとき、室外側に出射する光の光束と、室内側に出射する光の光束とを異ならせることができる。例えば、室外側に出射する光の光束は、室内側に出射する光の光束よりも大きい。この構成によれば、室外側にいる人は室内側が視認しにくくなり、目隠しの機能を提供することができる。これに加えて、室内側を照明する照明機能も提供することができる。
【０１３０】
また、別の例として、室内側に出射する光の光束は、室外側に出射する光の光束よりも大きくてもよい。この構成によれば、室外側にいる人に対する照明機能を提供しながら、室内側をより大きな光束で照明することができる。
【０１３１】
図１６は、本開示の一実施形態に係る調光部材の概略断面図であり、拡散体の配置の例を示す。導光板２６は、第１面２６ａと、第１面２６ａと反対側の第２面２６ｂとを有する。本実施形態では、導光板２６の一方の面に拡散体２７が寄り、かつ、発光素子２４から遠くなるほど拡散体２７の大きさが大きくなる。ここで、「導光板の一方の面に拡散体が寄っている」とは、断面視において拡散体２７の図形の重心の位置が導光板２６の一方の面側に寄っていればよい。また、拡散体２７の大きさとは、拡散体２７の粒子表面の２点間距離の最大値をいう。図面上では、説明を簡単にするために拡散体２７は円で示されているが、光を反射させることが可能であれば形状は問わない。
【０１３２】
図１６（ａ）に示すように、複数の拡散体２７が、導光板２６の第２面２６ｂ側に寄って配置されており、かつ、発光素子２４から遠くなるほど拡散体２７の大きさが大きくなっている。この構成によれば、図１６（ｂ）に示すように、第１面２６ａ側により多くの光を反射させることができる。これにより、室外側に出射する光の光束は、室内側に出射する光の光束よりも大きくなる。
【０１３３】
図１７は、本開示の一実施形態に係る調光部材の概略断面図であり、拡散体の配置の例を示す。図１７（ａ）に示すように、導光板２６内にある拡散体２７の体積が、第１面２６ａと第２面２６ｂとで異なる。例えば、第２面２６ｂにおける導光板２６内にある拡散体２７の体積（斜線部分）は、第１面２６ａにおける導光板２６内にある拡散体２７の体積（斜線部分）よりも大きい。この構成によれば、図１７（ｂ）に示すように、導光板２６内にある拡散体２７の体積が大きい面（第２面２６ｂ）では、光の拡散度合が強くなる。これにより、これにより、室外側に出射する光の光束は、室内側に出射する光の光束よりも大きくなる。
【０１３４】
図１８は、本開示の一実施形態に係る調光部材の概略断面図であり、拡散体の配置の例を示す。図１８（ａ）に示すように、拡散体２７の配置密度が、第１面２６ａと第２面２６ｂとで異なる。例えば、第２面２６ｂにおける拡散体２７の配置密度は、第１面２６ａにおける拡散体２７の配置密度よりも大きい。この構成によれば、図１８（ｂ）に示すように、拡散体２７の配置密度が大きい面（第２面２６ｂ）では、光の拡散度合が強くなる。これにより、室外側に出射する光の光束は、室内側に出射する光の光束よりも大きくなる。
【０１３５】
図１９は、本開示の一実施形態に係る調光部材を備える窓部材の変形例の概略断面図である。図１９では、例えば、３つの形態が示されている。
【０１３６】
図１９（ａ）は、変形例の形態１による窓部材１００の構成例を示している。窓部材１００は、第１透明部材１０と、当該第１透明部材１０に貼合された調光部材２０と、調光部材２０の光の出射方向に配置された拡散基板１７とを備える。調光部材２０が第１空間Ａ１側（室外側）に配置されており、かつ調光部材２０と拡散基板１７との間にギャップ（空隙）が設けられている。
【０１３７】
調光部材２０は、上述のように、例えばＬＥＤなどの発光素子２４を基材２１上に複数個配置し、当該発光素子２４をＯＮ／ＯＦＦすることにより、透明部材１０の部分を光らせる、板状あるいはシート状部材である。
【０１３８】
拡散基板１７は、例えば、透明の拡散基板、あるいは乳白色の拡散基板で構成することができる。透明の拡散基板は、例えば、アクリルやポリカーボネートなどの透明基板表面に加工されたホログラムパターン（屈折機能を有するパターン）を設けたり、透明基板の内部に複数の拡散体を設けたりすることにより構成される。また、乳白色の拡散基板は、透過率を低下させた基板であって、例えば、すりガラス拡散板で構成したり、乳白色のポリカーネイトなどの基板表面に上記ホログラムパターンを設けることにより構成したりすることができる。拡散基板１７を設けることにより、調光部材２０からの光のギラツキや第１透明部材に対する写り込みを抑制することができる。
【０１３９】
なお、拡散基板１７の代わりに、光拡散機能を備えるシート状部材（例えば、ロールスクリーン）を用いてもよい。ロールスクリーンのようなシート状部材を用いることにより、必要なときに第１透明部材１０に光拡散機能を持たせることができるようになる。
【０１４０】
図１９（ａ）に示されるように、調光部材２０が室外側に向いて配置される場合、調光部材２０からの光は、拡散基板１７に到達すると、所定方向に拡散され、外側に向けて放出される。このように外部（外側）に拡散光を放出することにより、目隠し（視野の制御）の機能を提供することができる。
【０１４１】
図１９（ｂ）は、変形例の形態２による窓部材１００の構成例を示している。形態２は、形態１と構成要素は同じであるが、各構成要素の配置が形態１とは逆となっている。即ち、室外側から、第１透明部材１０、調光部材２０、および拡散基板１７の順で配置されている。調光部材２０は、第１透明部材１０の第１内側面１０ｂに配置されており、かつ、調光部材２０と拡散基板１７との間にギャップが設けられている。なお、拡散基板１７の特徴については上述した通りであるので、説明は省略する。
【０１４２】
図１９（ｂ）に示されるように、調光部材２０が室内側に向いて配置されるので、調光部材２０からの光は、拡散基板１７に到達すると、所定方向に拡散され、室内側に向けて放出される。このように室内側に拡散光を放出することにより、第１透明部材１０を室内側に対する照明として機能させることができる。また、拡散基板１７として乳白色の拡散基板を用いれば、目隠し（視野の制御）の機能を提供することができる。
【０１４３】
図１９（ｃ）は、変形例の形態３によるによる窓部材１００の構成例を示している。形態３は、第１透明部材１０、調光部材２０、および拡散基板１７の各構成要素の配置の順序が形態２と同一であるが、調光部材２０と拡散基板１７との間にギャップは設けられていない。つまり、調光部材２０が第１透明部材１０の第１内側面１０ｂに貼合され、さらに、調光部材２０に拡散基板１７が貼合されている。なお、板状の拡散基板１７の代わりに、拡散フィルムを用いても良い。なお、拡散基板１７の特徴については上述した通りであるので、説明は省略する。
【０１４４】
図１９（ｃ）に示されるように、調光部材２０が内側に向いて配置されるので、調光部材２０からの光は、拡散基板１７によって所定方向に拡散され、室内側に向けて放出される。このように室内側に拡散光を放出することにより、第１透明部材１０を室内側に対する照明として機能させることができる。また、拡散基板１７として乳白色の拡散基板を用いれば、目隠し（視野角制御）の機能を提供することができる。
【０１４５】
第１透明部材１０からの視界（眺望）を確保する場合、拡散基板１７は透明の基板で構成することが望ましいが、ヘイズ値で規定した場合、ヘイズ値が３０％程度以下であれば眺望を確保できることが発明者の検証により判明した。一方、透過率（可視光透過率）で規定すると、眺望を確保するためには、透過率が５０％以上であることが望ましいことが検証により判明した。
【０１４６】
上述の形態１および形態２では、拡散基板１７と調光部材２０との間にギャップ（空隙）を設けている。この場合、拡散基板１７のヘイズ値を３０％以下あるいは可視光透過率を５０％以上とすることにより、第１透明部材１０からの眺望を確保しつつ、調光部材２０における発光素子２４（例えば、ＬＥＤなど）が配列されていることを視認困難、あるいは必要に応じて視認不可とすることができるようになる。
【０１４７】
また、窓部材１００が、合わせガラス（図１０）、複層ガラス（図１１）や二重窓（図１２）の構造を有する場合にも、拡散基板１７と調光部材２０との間にギャップ（空隙）を設けることによる効果（眺望確保とＬＥＤ目隠しの両立）を期待することができる。なお、当該ギャップ（空隙）を設けない場合、あるいはギャップが小さい場合（例えば、２ｍｍ以下）には、ヘイズ値が８０％以上でも調光部材２０における発光素子２４（例えば、ＬＥＤなど）を視認できる可能性が残されてしまう。例えば、調光部材２０をＬＥＤシートとし、拡散機能を持たせるために当該ＬＥＤシートに拡散フィルムをコーティングする場合には、ＬＥＤを視認できてしまうだけでなく、第１透明部材１０からの眺望を失うことになる。このため、当該ギャップ（空隙）を拡散基板１７と調光部材２０との間に設ける意義は大きい。また、窓部材１００が複層ガラスや二重窓の構造を有する場合、一定のヘイズ値を有する拡散基板１７を配置することにより、透明部材の面内の明るさを均一にすることができる。
【０１４８】
上述した各実施形態による第１透明部材１０には、追加的に様々な加工を施すことができる。例えば、反射防止膜（反射防止フィルム）、ＵＶ光をカットするＵＶ吸収フィルム、ＵＶ光を反射させるＵＶ反射フィルム、赤外光を吸収するＩＲ吸収フィルム、赤外光を反射するＩＲ反射フィルム、ティントフィルム、意匠性フィルムなどを第１透明部材１０に配置することができる。また、例えば、ＵＶ吸収機能を第１透明部材１０に持たせたい場合、調光部材２０を第１透明部材１０に貼合するための粘着剤にＵＶ吸収剤を含めてもよい。
【０１４９】
上述の調光部材２０を用いた建材の製造方法について説明する。当該製造方法は、第１空間Ａ１と、第１空間Ａ１と隣り合う第２空間Ａ２の間にある開口部１に配置された第１透明部材１０であって、第１空間Ａ１側に位置する第１面１０ａと、第２空間Ａ２側に位置する第２面１０ｂとを有する第１透明部材１０を提供する工程と、第１透明部材１０の第１面１０ａ及び第２面１０ｂの一方に、シート状の第１調光部材２０を配置する工程と、を有する。また、当該製造方法は、第１透明部材１０の第１面１０ａ及び第２面１０ｂの他方に、シート状の第２調光部材２０Ｂを配置する工程をさらに有してもよい。
【０１５０】
第１調光部材２０の配置工程は、第１調光部材２０を撓ませながら第１透明部材１０上に配置することを含んでもよい。
【０１５１】
第１調光部材２０の配置工程は、第１透明部材１０と第１調光部材２０とを液体を介して接触させた後、第１調光部材２０を押圧することにより前記液体を中央から外側に移動させることを含んでもよい。一例として、これは上述した水貼り等の工程である。
【０１５２】
また、別の例として、第１空間Ａ１と、第１空間Ａ１と隣り合う第２空間Ａ２の間にある開口部１に配置され、第１空間Ａ１側に位置する第１透明部材１０及び第２空間Ａ２側に位置する第２透明部材１１を含む建材の製造方法であって、第１透明部材１０を提供する工程と、第２透明部材１０の一方の面にシート状の第１調光部材２０を配置する工程と、第１調光部材２０が配置された第２透明部材を、開口部１に設置する工程と、を有してもよい。また、当該製造方法は、第２透明部材１１の他方の面にシート状の第２調光部材２０Ｂを配置する工程をさらに有してもよい。
【０１５３】
図２０は、本開示の一実施形態に係る調光部材が適用される建材の一例である。調光部材２０は、部屋同士を区切る壁又はパーテションに使用される透明部材に取付けられてもよい。この構成によれば、壁やパーテションに対して、照明機能や隣接する部屋間の目隠し機能を提供することができる。
【０１５４】
図２１は、本開示の一実施形態に係る調光部材が適用される建材の一例である。調光部材２０は、建物の屋根に設けられた天井窓に取付けられてもよい。この構成によれば、天井窓を夜間の照明機能としても利用することができる。
【０１５５】
図２２は、本開示の一実施形態に係る調光部材が適用される建材の一例である。調光部材２０は、透明部材によって構成された階段、及び／又は、階段の手すりなどに取付けられてもよい。この構成によれば、階段や手すりを照明機能として利用することができる。また、夜間において階段や手すり自体を光らせることができるため、階段の位置や手すりの位置を案内することができる。
【０１５６】
図２３は、本開示の一実施形態に係る調光部材が適用される建材の一例である。調光部材２０は、透明部材によって構成された庇（建物の開口部の上に取り付けられる日除けや雨除け用の小型の屋根）に取付けられてもよい。この構成によれば、庇を夜間の照明機能としても利用することができる。
【０１５７】
図２４は、本開示の一実施形態に係る調光部材が適用される建材の一例である。調光部材２０は、透明部材によって構成された扉（例えば、バスルームの扉）に取付けられてもよい。この構成によれば、バスルーム内に照明を提供しながら、バスルームの中が見えないようにする目隠し機能を提供することができる。
【０１５８】
図２５は、本開示の一実施形態に係る調光部材が適用される自動車の一例である。調光部材２０は、車のサンルーフに取付けられてもよい。この構成によれば、サンルーフを照明機能としても利用することができる。
【０１５９】
＜ハードコート層を備えた建材の構成＞
（i）構成例１
図２６は、本開示の一実施形態に係る調光部材とハードコート層とを備える建材の構成例１を示す概略断面図である。図１５に示す調光部材２０を使用する場合、図１から図３、図９から図１４に示される形態例を見ると、調光部材２０は各種ガラスで構成される透明部材に貼り付けられているが、図２６に示す建材では、ガラスの代わりにハードコート層４０および５０が、調光部材２０を構成する導光板２６の表面２６ａおよび２６ｂに設けられている。つまり、当該実施形態は、調光機能を有する建材において、建材を構成する第１透明部材をガラスではなく、ハードコート層で実現している。なお、ハードコート層は、導光板２６の第１空間Ａ１側の表面２６ａあるいは第２空間Ａ２側の表面２６ｂの少なくとも何れか一方に設けられていればよい。ハードコート層により表面を傷や汚れから防ぐことができる。また、汚れても、傷をつけることなく汚れをふき取ることが可能となる。導光板の表面に傷や汚れがあると、そこだけ選択的に光が漏れて輝度むらが生じるため、このようなハードコート層が望ましい。
【０１６０】
ハードコード層４０および５０は、例えば、電離放射線硬化性樹脂、熱硬化性樹脂、二液硬化性樹脂、もしくは溶剤型樹脂などを用いることができる。特に高い耐傷性が得られる電離放射線硬化性樹脂、特に電子線効果性樹脂が望ましい。電離放射線硬化性樹脂の詳細および具体例については公表２０１５／０４１３３４号公報に述べられている。また、ハードコート層４０および５０の形成方法は、調光部材２０の導光板２６にシート状のハードコート層４０および５０を貼合したり、ハードコート層を形成するための材料（例えば、上記電離放射線硬化性樹脂）を塗布したりすることにより実現することができる。また、例えば、プラスティックシートに対してハードコート層を形成する液状材料を塗布し硬化させることにより転写用シートを予め作製しておき、ハードコート層側を調光部材２０の導光板２６に位置合わせした状態で加圧および加熱して導光板２６側にハードコート層を転写して、ハードコート層４０および５０を形成してもよい。
【０１６１】
ハードコート層４０および５０は、上述の形態で調光部材２０を貼り付ける各種ガラスの厚さ（例えば、０．１ｍ以上）および導光板２６よりも薄く（例えば、０．１ｍｍ未満）構成される。第１空間Ａ１側に設けられるハードコート層４０の厚さと第１空間Ａ２側に設けられるハードコート層５０の厚さは、同一となるように構成してもよいし、異なるように構成してもよい。
【０１６２】
さらに、ハードコート層４０および５０に、光散乱機能を持たせるようにしてもよい。光散乱機能を持たせるには、ハードコート層４０および５０を構成する主材料と屈折率が異なる粒子（散乱剤）を混合すればよい。散乱剤としては、例えば、酸化チタン、シリカ、アルミナ粒子（酸化アルミニウム）、炭酸カルシウムや硫酸バリウムなどの無機粒子、もしくは、アクリル樹脂、ポリカーボネート樹脂、シリコーン樹脂、ポリスチレン樹脂などの樹脂で構成される粒子等を用いることができる。また、発泡等の方法により気体で形成してもよい。ハードコート層に光散乱機能を設けることにより、導光板の散乱機能を強化することができる。
【０１６３】
構成例１による調光部材２０は、図１５に示される構成と同様に、導光板２６の内部に配置される複数の拡散体２７と、導光板２６の第１端部２６ｃに配置される発光素子２４と、を備えている。なお、この構成に限定されず、発光素子２４が、第１端部２６ｃと反対側の図示省略の第２端部に配置され、両側から光を入射させるような構成でもよい。また、拡散体２７の形状は図示に限定されず、例えば、その形状は断面視において、三角形、四角形等の多角形等、繊維状であってもよい。また、それらの形状が連結された形状であってもよい。
【０１６４】
導光板２６は、第１端部２６ｃから入射する発光素子２４からの光を面全体に拡散させることが可能な板である。導光板２６として用いられる材料として、例えば、アクリル樹脂、ポリスチレン、ポリカーボネート、ポリエチレンテレフタレート、ポリアクリロニトリル等の一以上を主成分とする透明樹脂や、エポキシアクリレートやウレタンアクリレート系の反応性樹脂（電離放射線硬化型樹脂等）や、ガラスが好適に使用され得る。また、拡散体２７としては、例えば、金属酸化物を周囲に保持した樹脂ビーズ、シリカ（二酸化珪素）、アルミナ（酸化アルミニウム）等の白色物質、周囲と屈折率が異なる樹脂（例えばアクリル樹脂、ポリカーボネート樹脂、シリコーン樹脂、ポリスチレン樹脂等）等の透明物質からなる粒子を用いて構成することができる。また、散乱体２７は、発泡等の方法により気体で形成してもよい。また、導光板２６は、複数の材料を二層以上重ねてもよい。
【０１６５】
例えば、発光素子２４は、電源（図示せず）に電気的に接続され、第１状態で発光し、第２状態で消光する。第１状態において発光素子２４が発光したとき、発光素子２４からの光の一部が第１空間Ａ１側（室外側）に導かれるように拡散体２７で反射し、また、光の一部が第２空間Ａ２側（室内側）に導かれるように拡散体２７で反射する。これにより、第１空間Ａ１側及び第２空間Ａ２側に光を出射することができる。この構成によれば、第一空間から第二空間、もしくは第二空間から第一空間が視認しにくくなり、目隠しの機能を提供できる。たとえば、室外側にいる人は室内側が視認しにくくなり、目隠しの機能を提供することができる。これに加えて、第一空間もしくは第二空間を照明する照明機能も提供することができる。第一空間もしくは第二空間のいずれかの側に意匠面、たとえば壁面や天井面、もしくは文字・絵柄などの情報を有する面を設け、この意匠面の見え具合を切り替えすることともできる。この場合は導光板とハードコート層を合わせた状態でのヘイズを１０％以下にすることが望ましい。
【０１６６】
なお、ハードコート層４０および５０の形成方法、厚さ、および材料、発光素子２４の特徴については、以下の構成例でも同様である。
【０１６７】
（ii）構成例２
図２７は、本開示の一実施形態に係る調光部材とハードコート層とを備える建材の構成例２を示す概略断面図である。構成例１（図２６）と同様に、構成例２でも調光部材２０（導光板２６）の表面２６ａおよび２６ｂには、ガラスではなくハードコート層４０および５０が設けられる。だたし、構成例２による調光部材２においては、拡散体２７の構成が上記構成例１とは異なっている。
【０１６８】
構成例２において、導光板２６は、第１面２６ａと、第１面２６ａと反対側の第２面２６ｂとを有する。本実施形態では、導光板２６の一方の面に拡散体２７が寄り、かつ、発光素子２４から遠くなるほど拡散体２７の大きさが大きくなる。ここで、「導光板の一方の面に拡散体が寄っている」とは、断面視において拡散体２７の図形の重心の位置が導光板２６の一方の面側に寄っていればよい。また、拡散体２７の大きさとは、拡散体２７の粒子表面の２点間距離の最大値をいう。図面上では、説明を簡単にするために拡散体２７は円で示されているが、光を反射させることが可能であれば形状は問わない。
【０１６９】
図２７（ａ）に示すように、複数の拡散体２７が、導光板２６の第２面２６ｂ側に寄って配置されており、かつ、発光素子２４から遠くなるほど拡散体２７の大きさが大きくなっている。この構成によれば、図２７（ｂ）に示すように、第１面２６ａ側により多くの光を反射させることができる。これにより、室外側に出射する光の光束は、室内側に出射する光の光束よりも大きくなる。
【０１７０】
（iii）構成例３
図２８は、本開示の一実施形態に係る調光部材とハードコート層とを備える建材の構成例３を示す概略断面図である。構成例１（図２６）と同様に、構成例３でも調光部材２０（導光板２６）の表面２６ａおよび２６ｂには、ガラスではなくハードコート層４０および５０が設けられる。ただし、構成例３では、図１７の形態例と同様に、拡散体の配置に特徴を有している。
【０１７１】
図２８（ａ）に示すように、導光板２６内にある拡散体２７の体積が、第１面２６ａと第２面２６ｂとで異なる。例えば、第２面２６ｂにおける導光板２６内にある拡散体２７の体積（斜線部分）は、第１面２６ａにおける導光板２６内にある拡散体２７の体積（斜線部分）よりも大きい。この構成によれば、図２８（ｂ）に示すように、導光板２６内にある拡散体２７の体積が大きい面（第２面２６ｂ）では、光の拡散度合が強くなる。これにより、これにより、室外側に出射する光の光束は、室内側に出射する光の光束よりも大きくなる。
【０１７２】
構成例３において、ハードコート層４０および５０を導光板２６の表面２６ａおよび２６ｂに形成する前の段階では、拡散体２７の一部が導光板２６から第１空間Ａ１および第２空間Ａ２に突出している。そこで、この突出している拡散体２７を覆い、ハードコート層４０および５０の表面が平坦になるように厚さを制御してハードコート層４０および５０を形成することが好ましい。ただし、拡散体２７がハードコート層４０および５０の表面から出ていてもよい。
【０１７３】
（iv）構成例４
図２９は、本開示の一実施形態に係る調光部材とハードコート層とを備える建材の構成例４を示す概略断面図である。構成例１（図２６）と同様に、構成例４でも調光部材２０（導光板２６）の表面２６ａおよび２６ｂには、ガラスではなくハードコート層４０および５０が設けられる。ただし、構成例４では、図１８の形態例と同様に、拡散体の配置に特徴を有している。
【０１７４】
図２９（ａ）に示すように、拡散体２７の配置密度が、第１面２６ａと第２面２６ｂとで異なる。例えば、第２面２６ｂにおける拡散体２７の配置密度は、第１面２６ａにおける拡散体２７の配置密度よりも大きい。この構成によれば、図２９（ｂ）に示すように、拡散体２７の配置密度が大きい面（第２面２６ｂ）では、光の拡散度合が強くなる。これにより、室外側に出射する光の光束は、室内側に出射する光の光束よりも大きくなる。
【０１７５】
（v）以上のように調光部材２０にハードコート層４０および５０の少なくとも一方を設けることにより、ガラスよりも軽い素材によって耐摩耗性および耐候性を実現することができる。なお、ハードコート層４０および５０には、各種添加剤を添加することにより、ハードコート機能だけでなく、防曇コート機能、防汚コート機能、防眩コート機能、反射防止コート機能、紫外線遮蔽コート機能、赤外線遮蔽コート機能等の機能を付与する処理を行ってもよい。
【０１７６】
なお、本開示は上述した実施形態に限定されるものではなく、他の様々な変形例が含まれる。例えば、上述した実施形態は本開示を分かりやすく説明するために詳細に説明したものであり、必ずしも説明した全ての構成を備えるものに限定されるものではない。また、ある実施形態の構成の一部を他の実施形態の構成に置き換えることがあり、また、ある実施形態の構成に他の実施形態の構成を加えることも可能である。また、各実施形態の構成の一部について、他の構成の追加・削除・置換をすることが可能である。
【符号の説明】
【０１７７】
１          …開口部
１０        …第１透明部材
１１        …第２透明部材
１２、１２Ａ、１２Ｂ        …中間膜
１３        …封止部材
１４        …第１機能層
１５        …第２機能層
１６        …反射板
１７        …拡散基板
２０、２０Ａ、２０Ｂ        …調光部材
２１        …基材
２２        …配線部
２３        …接着層
２４        …発光素子
２５        …保護膜
２６        …導光板
２７        …拡散体
４０、５０      …ハードコート層
１００      …窓部材
Ａ１        …第１空間
Ａ２        …第２空間
Ａ３        …密閉空間
【図１】
2018142530.tif 000003
【図２】
2018142530.tif 000004
【図３】
2018142530.tif 000005
【図４】
2018142530.tif 000006
【図５】
2018142530.tif 000007
【図６】
2018142530.tif 000008
【図７】
2018142530.tif 000009
【図８】
2018142530.tif 000010
【図９】
2018142530.tif 000011
【図１０】
2018142530.tif 000012
【図１１】
2018142530.tif 000013
【図１２】
2018142530.tif 000014
【図１３】
2018142530.tif 000015
【図１４】
2018142530.tif 000016
【図１５】
2018142530.tif 000017
【図１６】
2018142530.tif 000018
【図１７】
2018142530.tif 000019
【図１８】
2018142530.tif 000020
【図１９】
2018142530.tif 000021
【図２０】
2018142530.tif 000022
【図２１】
2018142530.tif 000023
【図２２】
2018142530.tif 000024
【図２３】
2018142530.tif 000025
【図２４】
2018142530.tif 000026
【図２５】
2018142530.tif 000027
【図２６】
2018142530.tif 000028
【図２７】
2018142530.tif 000029
【図２８】
2018142530.tif 000030
【図２９】
2018142530.tif 000031